(57)【特許請求の範囲】
【請求項１】
被測定系の使用水量を測定する流量測定手段と、
前記流量測定手段により測定された一定時間内の使用水量が、設定されている適正流量値を超えた場合に、使用水量を制限する流量調整手段と、
前記流量測定手段により測定された一定時間内の使用水量が、設定されている前記適正流量値を超えた場合に、前記使用水量から前記適正流量値を減算した値を超過流量として表示する表示手段と、
を具備したことを特徴とする水道メータ。
【請求項２】
設定されている適正流量値に対する前記流量測定手段により測定された一定時間内の使用水量の比率を表示する表示手段を具備したことを特徴とする請求項１記載の水道メータ。
【請求項３】
外部機器との通信を行う通信部とを具備し、
前記適正流量値は外部から通信にて設定されることを特徴とする請求項１または２記載の水道メータ。
【発明の詳細な説明】
【技術分野】
【０００１】
本発明は被測定系の使用水量等を測定する水道メータに関する。
【背景技術】
【０００２】
従来より、一般家庭、事業所の使用水量を測定する水道メータが普及してきている。当
該計量器は、被測定系の使用水量を検出し信号を出力する使用水量検出手段と、使用水量検出手段にて出力された信号をデータに編集する制御部と、制御部にて編集されたデータを表示する表示部とを具備している。（例えば特許文献１）
【特許文献１】実開平５−２７６２５号公報（第４頁、図１）
【発明の開示】
【発明が解決しようとする課題】
【０００３】
従来より、一般家庭、事業所の使用水量を測定する水道メータが普及してきていること
は前述のとおりである。
【０００４】
水道メータの使用量検出手段には、水路を流れる水流の流量に正比例した回転数を発生する水車を設けておき、その水車の回転数を検出することにより使用水量を算出する方式が用いられている。当該方式が用いられた場合、適正流量を越える水流があると水車に負担がかかり、水車が破壊され流量が正確に検出されなくなってしまうという問題点があった。水道料金を軽減するため、水道メータを破壊することを目的として、故意に超過した流量の水が流される場合もあった。従来の水道メータは超過した水量が流された場合に水道メータを保護する保護手段が用意されていなかった。
【０００５】
本発明は、このように適正流量を超えた水量が流された場合でも破壊されない水道メータを提供することを目的とする。
【課題を解決するための手段】
【０００６】
上記目的を達成するために、請求項１に係る発明は、被測定系の使用水量を測定する流量測定手段と、前記流量測定手段により測定された一定時間内の使用水量が、設定されている適正流量値を超えた場合に、使用水量を制限する流量調整手段と、前記流量測定手段により測定された一定時間内の使用水量が、設定されている前記適正流量値を超えた場合に、前記使用水量から前記適正流量値を減算した値を超過流量として表示する表示手段と、を具備したことを特徴とする。
請求項２に係る発明は、請求項１記載の水道メータにおいて、設定されている適正流量値に対する前記流量測定手段により測定された一定時間内の使用水量の比率を表示する表示手段を具備したことを特徴とする。
請求項３に係る発明は、請求項１または２に記載の水道メータにおいて、外部機器との通信を行う通信部とを具備し、前記適正流量値は外部から通信にて設定されることを特徴とする。
【発明の効果】
【０００７】
本発明によれば、適正流量を超えた水量が流された場合でも破壊されない水道メータを提供することができる。
【発明を実施するための最良の形態】
【０００８】
以下、本発明の実施例を説明する。
【実施例１】
【０００９】
本発明による計量器の実施例１について図１を参照して説明する。
【００１０】
図１において、１００は水道メータ本体であり水道水を供給する水道管に接続される。
【００１１】
１１０は水路で、ステンレス等の金属や樹脂等からなるパイプにより構成され、外部からの水道水を家庭内へ伝達する。
【００１２】
１２０は流量検出部で、流量に正比例した回転数を発生する水車とその回転数を検出する検出回路等にて構成されており、水車の回転に対応した信号を出力する。前記水車は、水路１１０に設けられ、当該水路１１０を流れる流量に正比例した回転数を発生する。水車には磁石が取付けられており、その水車に取付けられた磁石の回転が磁気センサ等にて検出され、電気信号に変換され出力される。
【００１３】
１３０はタイマ部で、水晶振動子を用いた時計回路等により構成されており、時間を計数し電気信号として出力する。
【００１４】
１４０は通信部で、有線または無線のインタフェース回路により構成されており、外部
と通信電文にて送受信を行う。
【００１５】
１５０は表示部で、液晶表示器等により構成されており、後述する制御部１８０にて作成されたデータを表示する。
【００１６】
１６０は磁気センサで、ホール素子またはリードスイッチ等により構成されており、外部からの磁界を検出し電気信号として出力する。
【００１７】
１７０は流量調整部で、開口量が可変でき流量を調整できる弁等により構成されており、その開口量は後述する制御部１８０により制御される。
【００１８】
１８０は制御部で、マイクロコンピュータ等により構成されており、流量検出部１２０から水車の回転に正比例した電気信号を受信し、計量値である積算流量ならびに瞬時流量を算出し、表示部１５０に表示させるとともに、適性流量に対する現在の瞬時流量の比率を表示部１５０に表示させる。
【００１９】
また、制御部１８０は水流が適正流量を超過した場合、瞬時流量を検出し流量調整部１７０の開口量を絞り、適正流量以上流れにくくなるよう制御するとともに、当該適正流量を超過した瞬時流量を表示部１５０に表示させる。
【００２０】
さらに、制御部１８０は、瞬時流量計測のため一定の時間間隔にてタイマ部１３０からの電気信号を受信する。
【００２１】
制御部１８０は、外部からの適正流量設定にかかる通信電文を、通信部１４０を介し受信する。
【００２２】
また、制御部１８０は、外部からの磁界を検出した磁気センサ１６０からの電気信号を受信する。
【００２３】
次に、本実施例の動作について図２を参照しつつ説明する。図２は本実施例にかかる水道メータのプログラムの流れを表わすフロー図である。本プログラムは制御部１８０内の図示しないプログラムメモリ内に記憶され、制御部１８０の動作を制御している。
【００２４】
まず、制御部１８０は、通信部１４０が、外部機器から適正流量設定に関する電文を受信したかの判断を行う（ステップ２０１）。通信部１４０が外部機器からの適正流量設定に関する電文を受信したと判断された場合、制御部１８０は、当該電文による適正流量を更新記憶する（ステップ２０２）。通信部１４０が外部機器からの適正流量設定に関する電文を受信していないと判断された場合、制御部１８０は、既に設定されている適正流量を継続して記憶する。なお当該適正流量は工場出荷時等にあらかじめ設定されているものとする（図中不示）。
【００２５】
次に制御部１８０は、流量検出部１２０から流量に正比例した回転数を発生する水車の回転に対応した信号を受信し、積算流量を算出し記憶するとともに表示部１５０に表示させる（ステップ２０３）。
【００２６】
次に制御部１８０は、タイマ部１３０から一定の時間間隔、例えば１０秒間隔にて出力される信号を受信し、当該タイマ部１３０から出力される信号インターバルの間に、流量検出部１２０から出力された信号を計数し、瞬時流量を算出し記憶するとともに表示部１５０に表示させる（ステップ２０４）。
【００２７】
次に制御部１８０は、ステップ２０４にて算出された瞬時流量をステップ２０２にて設定記憶されている適性流量で除算し、現在の流量の負荷率としてパーセント表示にて表示部１５０に表示させる（ステップ２０５）。
【００２８】
次に制御部１８０は、ステップ２０４にて算出された瞬時流量がステップ２０２にて設定記憶されている適性流量を超過しているかの判断を行い（ステップ２０６）、超過していると判断された場合、流量調整部１７０を絞り流量を制限するよう制御を行う（ステップ２０７）。また、制御部１８０はステップ２０４にて算出された瞬時流量から設定記憶されている適性流量を減算し超過流量として表示部１５０に表示させる（ステップ２０８）。
【００２９】
流量調整部１７０は例えば５段階の開口量を選択できるようになっており、制御部１８０はステップ２０７で１段階ずつ開口量を狭めていくものとする。
【００３０】
なお、「適正流量」とは、外部の例えば通信機能を持ったハンディターミナル等により無線電波や有線通信にて通信部１４０を介し設定される設定値で、水道メータの工場出荷時に設定され、実フィールド設置後は必要に応じ検針員等により設定される。
【００３１】
制御部１８０は、積算流量、瞬時流量、負荷率、超過流量を表示部１５０に表示させるが、積算流量、瞬時流量、負荷率、超過流量はいずれか一つが選択され、表示部１５０に表示される。
【００３２】
表示部１５０に表示される項目の選択は、外部から操作者が表示切替のための磁石を水道メータ本体１００に接近させることにより行われる。磁気センサ１６０により外部から磁界が印加されたと判断された場合、制御部１８０は、外部から表示切替のため操作者により磁石が水道メータ本体１００に接近されたとし、積算流量を表示していた場合は瞬時流量を、瞬時流量を表示していた場合は負荷率を、負荷率を表示していた場合は超過流量を、超過流量を表示していた場合は積算流量を表示するよう、表示部１５０を制御する。その結果、表示部１５０の表示項目は切り替えられる（図中不示）。
【００３３】
本実施例を用いれば、適正流量を超えた水量が流された場合でも破壊されない水道メータを提供することができる。
【００３４】
また、本実施例を用いれば表示部１５０に適正流量を超過した場合の超過流量が表示されるため、需要家における水道使用の傾向を知ることができ便利である。
【００３５】
また、本実施例を用いれば表示部１５０に負荷率が表示されるため、需要家において使用される瞬時水量を把握することができ便利である。
【００３６】
また、水不足等で取水制限が発せられた場合には、検針員等の外部機器により各需要家の水道メータに対し、必要な適正水量を再設定することにより、需要家の水の使用を節約させることが可能である。
【００３７】
また、本実施例を用いれば、外部機器、例えば通信機能を持ったハンディターミナル等により任意の値に適正水量を設定することができるので便利である。例えば、水道料金軽減を目的とした不正使用を頻繁に行う需要家に対し、極端に小さな適正水量を再設定すれば、水量が減少することになり、不正使用をやめるよう促す効果を期待することができる。
【００３８】
本発明を用いれば、適正流量を超えた水量が流された場合でも破壊されない水道メータを提供することができる。
【図面の簡単な説明】
【００３９】
【図１】本発明による水道メータの実施例１の構成を示す内部構成図
【図２】本発明による水道メータにかかるプログラムを示すフロー図
【符号の説明】
【００４０】
１００    水道メータ本体
１１０    水路
１２０    計量部
１３０    タイマ部
１４０    通信部
１５０    表示部
１６０    磁気センサ
１７０    流量調整部
１８０    制御部
【図１】
0005042869.tif 000002
【図２】
0005042869.tif 000003